(57)【要約】【課題】盤内の端子台スペースの横幅を小さくし、かつ接続されるケーブル名称を示す文字板部を前面から常に確認できるようにする。【解決手段】文字板部と、この文字板部の側部に取り付けられ、盤の奥側に向って回動可能な、端子を接続するための端子接続部と、この端子接続部に端子を取り付けるための位置と盤内に収納するための位置との間を移動可能な移動手段とを備えた端子台。【選択図】図１
2018116879.tif 000002
【特許請求の範囲】
【請求項１】
盤に収納される端子台において、文字板部と、前記文字板部の側部に取り付けられ、前記盤の奥側に向って回動可能な、端子を接続するための端子接続部と、前記端子接続部に端子を取り付けるための位置と盤内に収納するための位置との間を移動可能な移動手段と、を備えたことを特徴とする端子台。
【請求項２】
前記端子接続部は、前記端子を取り付ける位置で、前記文字板部の側部と面で係合し、前記盤内に収納する位置で、前記文字板部の側部から盤の奥側に向って折りたたまれていることを特徴とする請求項１に記載の端子台。
【請求項３】
前記端子接続部は蝶番により前記文字板部に取り付けられていることを特徴とする請求項１または２に記載の端子台。
【請求項４】
前記移動手段は、前記盤に設けられたレール上を移動するキャスターであることを特徴とする請求項１から３のいずれか一項に記載の端子台。
【請求項５】
前記移動手段は、前記盤に設けられたガイドレールに沿って移動する支持棒であることを特徴とする請求項１から３のいずれか一項に記載の端子台。
【請求項６】
前記移動手段は、前記盤に設けられたつめ受けに係合するつめであることを特徴とする請求項１から３のいずれか一項に記載の端子台。
【請求項７】
前記移動手段は、前記盤に設けられたつめに係合するつめ受けであることを特徴とする請求項１から３のいずれか一項に記載の端子台。
【請求項８】
盤の前面に端子台を引き出し、文字板部側部から盤の奥側に折りたたまれている端子接続部を、端子接続部側部と前記文字板部側部との係合部を軸として、前記盤の前面と同じ平面まで回動した後、端子を接続することを特徴とする端子台の端子接続方法。
【請求項９】
前記文字板部は、前記盤の奥側から前記盤の前面に直線的に移動し、前記端子接続部の回動にかかわらず、常に盤の前面から視認可能であることを特徴とする請求項８に記載の端子台の端子接続方法。
【発明の詳細な説明】
【技術分野】
【０００１】
この発明は、端子台に関し、特に配電盤又は制御盤（以下「盤」という）の配線の接続、分岐又は中継を行うために使用される端子台の構造に関する。
【背景技術】
【０００２】
近年の情報化社会への移行による信号処理数の増加に伴い、盤に設置される端子台数量も多量になっており、端子台が設置されるスペースの確保が問題となっている。そこで、端子台スペースの省スペース化の取り組みがなされてきた。例えば、端子台を２段構成にした構造や、さらに左右のブロックに２分割し、配線接続時以外は左右ブロックを内側に閉じてＵ字型にした端子ブロックを機器ケース内へ収納した構造をとっているものがある。（例えば、特許文献１参照）
【先行技術文献】
【特許文献】
【０００３】
【特許文献１】実開平０３−３３９６６号公報
【発明の概要】
【発明が解決しようとする課題】
【０００４】
特許文献１における左右に分割した２段構成の端子台ブロックでは、２段分の横幅のスペースが必要になり、これを内側に閉じる構造としても、端子台スペースの横幅の長さはほとんど変わらない。また、端子ブロックを内側に閉じる構造なので、文字板部を常に前面から確認することが難しいという課題がある。この発明はこのような課題を解決するためになされたものであり、端子台スペースの横幅を小さくし、かつ接続されるケーブル名称を示す文字板部を前面から常に確認することが可能な端子台を得ることを目的とする。
【課題を解決するための手段】
【０００５】
この発明における端子台において、文字板部と、この文字板部の側部に取り付けられ、収納される盤の奥側に向って回動可能な、端子を接続するための端子接続部と、この端子接続部に端子を取り付ける位置と盤内に収納する位置とを移動可能な移動手段と、を備えたことを特徴とする。
【発明の効果】
【０００６】
この発明の端子台によれば、盤内の端子台の収納スペースを小さくすることができる。
【図面の簡単な説明】
【０００７】
【図１】この発明の実施の形態１による端子台の構成及び動作を示す後面斜視図である。
【図２】この発明の実施の形態１による端子台の構成を示す前面図である。
【図３】この発明の実施の形態１による端子台の動作を示す前面図である。
【図４】この発明の実施の形態１による端子台の動作を示す上面図である。
【図５】この発明の実施の形態１によるレールの斜視図である。
【図６】この発明の実施の形態２による端子台の構成を示す前面図である。
【図７】この発明の実施の形態２によるレールの斜視図である。
【図８】この発明の実施の形態３による端子台の構成を示す後面斜視図である。
【図９】この発明の実施の形態３によるガイドレールの斜視図である。
【図１０】この発明の実施の形態４による端子台の構成を示す斜視図である。
【図１１】この発明の実施の形態５による端子台の構成を示す斜視図である。
【図１２】この発明の実施の形態６による端子台の構成を示す斜視図である。
【発明を実施するための形態】
【０００８】
実施の形態１．
以下、この発明の実施の形態１による端子台の構成を図１及び図２で説明する。図１はこの発明の実施の形態１による端子台の構成及び動作を示す後面斜視図、図２はこの発明の実施の形態１による端子台の構成を示す前面図である。図１に示すように、端子台１００は、文字板部４が左端子ネジ部２及び右端子ネジ部３とそれぞれ蝶番５ａ及び蝶番５ｂで接続されており、文字板部４の下面にはキャスター７ａが付いている。図１では省略しているが、図２に示すように、左端子ネジ部２は左端子ネジ９ａから９ｆで構成されており、それぞれの間は絶縁されている。右端子ネジ部３は右端子ネジ１０ａから１０ｆで構成されており、左端子ネジ９ａから９ｆ同様にそれぞれの間は絶縁されている。左端子ネジ９ａと右端子ネジ１０ａは端子台１の後面から図１に示す短絡絶縁電線６ａで電気的に接続されている。同様に、左端子ネジ９ｂ、９ｃ、９ｄ、９ｅ、９ｆと右端子ネジ１０ｂ、１０ｃ、１０ｄ、１０ｅ、１０ｆとが、それぞれ短絡絶縁電線６ｂ、６ｃ、６ｄ、６ｅ、６ｆで電気的に接続されている。端子ネジは左端子ネジ６個、右端子ネジ６個に限定されるものでもなく、左端子ネジ及び右端子ネジはそれぞれ６個未満でもよく、また、６個を超えてもよい。
【０００９】
次に動作について説明する。図３はこの発明の実施の形態１による端子台の動作を示す前面図で、図３（ａ）は折り曲げた状態を示し、図３（ｂ）は、折り曲げられない端子台を比較のために示している。図４はこの発明の実施の形態１による端子台の動作を示す上面図であり図４（ａ）は通常時、図４（ｂ）は結線時を示す。図５はこの発明の実施の形態１によるレール８ａの斜視図である。
まず、結線時は図１（ａ）の状態で、図２がその前面図であり、従来の端子台と同様な構造である。従って、結線は従来と同様の方法で行うことができる。次に、左端子ネジ部２と文字板部４は蝶番５ａで接続されているため、図１（ｂ）に示すように左端子ネジ部２を端子台後面側に文字板部４と垂直になる位置まで折り曲げることが可能である。同様に、図１（ｃ）に示すように、右端子ネジ部３を端子台後面側に文字板部４と垂直になる位置まで折り曲げることが可能である。この状態でも、図１（ｃ）に示すように、左端子ネジ９ａから９ｆと右端子ネジ１０ａから１０ｆはそれぞれ短絡絶縁電線６ａから６ｆで電気的に接続された状態を維持できる。
【００１０】
図３（ａ）は左端子ネジ部２及び右端子ネジ部３を両方とも折り曲げた状態で例えば盤に二つ並んで配置された状態である。図３（ｂ）に示す折り曲げることができない端子台を二つ並べた状態よりも端子台スペースの横幅を小さく保つことが可能である。左端子ネジ部２及び右端子ネジ部３を両方とも折り曲げた状態の上面図が図４（ａ）であるが、図４（ｂ）に示すように、盤にレール８ａを端子台の下面方向に取り付けておくことで、端子台１は文字板部４の下面に取り付けられたキャスター７ａによってレール８ａの上を前後に移動することが可能である。したがって、結線時は図５に示すレール８ａの前端１１の位置まで盤（図示せず）から引出し、端子台を開いて結線を行い、結線完了後は左端子ネジ部２及び右端子ネジ部３を両方とも折り曲げて、レール８ａの後端１２の位置まで移動させることにより、盤内の端子台スペースの横幅が小さくても問題なく結線を行うことが可能である。また、端子台の文字板部４は前面から常に確認することが可能である。
【００１１】
実施の形態２．
以下この発明の実施の形態２を図６及び図７により説明する。図６はこの発明の実施の形態２による端子台の構成を示す前面図、図７はこの発明の実施の形態２によるレール８ｂの斜視図である。図６に示すとおり、本実施の形態２は実施の形態１におけるキャスター７ｂを文字板部４の下面ではなく、上面に付けたものであり、キャスター７ｂにはストッパ１７が付いている。他は実施の形態１と同様の構成である。盤（図示せず）には図７に示すレール８ｂを端子台の上面方向に取り付けておくことで、端子台１０１は落下防止のためのストッパ１７を備えたキャスター７ｂとレール８ｂとによって、前後に移動することが可能であり、実施の形態１と同様の効果が得られる。
【００１２】
実施の形態３．
以下この発明の実施の形態３を図８及び図９により説明する。図８はこの発明の実施の形態３による端子台の構成を示す後面斜視図、図９はこの発明の実施の形態３によるガイドレール１４の斜視図である。図８に示すとおり、本実施の形態３は実施の形態１におけるキャスター７ａを取り付けるのではなく、支持棒１３が文字板部４の裏面に取り付けられている。他は実施の形態１と同様の構成である。図示しない盤には図９に示すガイドレール１４を端子台１０２の裏面方向に取り付けておくことで、端子台１０２は支持棒１３とガイドレール１４によって前後に移動することが可能であり、実施の形態１と同様の効果が得られる。
【００１３】
実施の形態４．
以下この発明の実施の形態４を図１０により説明する。図１０はこの発明の実施の形態４による端子台の構成を示す斜視図で、図１０（ａ）は端子台１０３の後面斜視図、図１０（ｂ）は、つめ受け１６ａの斜視図である。
図１０（ａ）に示すとおり、本実施の形態４は実施の形態１におけるキャスター７ａを取り付けるのではなく、つめ１５ａが文字板部４の下面に付いている。他は実施の形態１と同様の構成である。図示しない盤には図１０（ｂ）に示すつめ受け１６ａを端子台１０３の下面方向の前後２箇所に取り付けておく。つめ１５ａをつめ受け１６ａにはめ込むことで端子台１０３はつめ受け１６ａに固定される。端子台１０３はつめ１５ａを二箇所のつめ受け１６ａへそれぞれ差替えることによって前後に移動することが可能であり、実施の形態１と同様の効果が得られる。
【００１４】
実施の形態５．
以下この発明の実施の形態５を図１１により説明する。図１１はこの発明の実施の形態５による端子台の構成を示す斜視図で、図１１（ａ）は端子台１０４の後面斜視図、図１１（ｂ）はつめ受け１６ｂの斜視図である。
図１１（ａ）に示すとおり、本実施の形態５は実施の形態１におけるキャスター７ａを取り付けるのではなく、つめ１５ｂが文字板部４の上面に付いている。他は実施の形態１と同様の構成である。図示しない盤には図１１（ｂ）に示すつめ受け１６ｂを端子台の上面方向の前後２箇所に取り付けておく。つめ１５ｂをつめ受け１６ｂにはめ込むことで端子台１０４はつめ受け１６ｂに固定される。端子台１０４はつめ１５ｂを二箇所のつめ受け１６ｂへ差替えることによって前後に移動することが可能であり、実施の形態１と同様の効果が得られる。
【００１５】
実施の形態６．
以下この発明の実施の形態６を図１２により説明する。図１２はこの発明の実施の形態６による端子台の構成を示す斜視図で、図１２（ａ）は端子台１０５の後面斜視図、図１２（ｂ）は、つめ１５ｃの斜視図である。
図１２（ａ）に示すとおり、本実施の形態６は実施の形態１におけるキャスター７ａを取り付けるのではなく、つめ受け１６ｂが文字板部４の下面に構成されている。他は実施の形態１と同様の構成である。図示しない盤には図１２（ｂ）に示すつめ１５ｃを端子台１０５の下面方向の前後２箇所に取り付けておく。つめ１５ｃをつめ受け１６ｃにはめ込むことで端子台１０５は、つめ１５ｂに固定される。端子台１０５はつめ受け１６ｃを二箇所のつめ１５ｃへ差替えることによって前後に移動することが可能であり、実施の形態１と同様の効果が得られる。
【００１６】
なお、この発明は、その発明の範囲内において、各実施の形態を自由に組み合わせたり、各実施の形態を適宜、変形、省略することが可能である。また図中、同一符号は、同一又は相当する構成、機能を有する部分を示す。
【符号の説明】
【００１７】
１００、１０１、１０２、１０３、１０４、１０５  端子台、２  左端子ネジ部、３  右端子ネジ部、４  文字板部、５ａ、５ｂ  蝶番、６ａ、６ｂ、６ｃ、６ｄ、６ｅ、６ｆ  短絡絶縁電線、７a、７ｂ  キャスター、８ａ、８ｂ  レール、９ａ、９ｂ、９ｃ、９ｄ
、９ｅ、９ｆ  左端子ネジ、１０ａ、１０ｂ、１０ｃ、１０ｄ、１０ｅ、１０ｆ  右端子ネジ、１１  レール前端、１２  レール後端、１３  支持棒、１４  ガイドレール、１５ａ、１５ｂ、１５ｃ  つめ、１６ａ、１６ｂ、１６ｃ  つめ受け、１７  ストッパ、１８
電線、１９  圧着端子
【図１】
2018116879.tif 000003
【図２】
2018116879.tif 000004
【図３】
2018116879.tif 000005
【図４】
2018116879.tif 000006
【図５】
2018116879.tif 000007
【図６】
2018116879.tif 000008
【図７】
2018116879.tif 000009
【図８】
2018116879.tif 000010
【図９】
2018116879.tif 000011
【図１０】
2018116879.tif 000012
【図１１】
2018116879.tif 000013
【図１２】
2018116879.tif 000014